(57)【要約】      （修正有）【課題】製作性、組立性のよいダイアル錠を提供する。【解決手段】ダイアル２には外周の一部を切欠して非係合部３ａを形成しているディスクを一体的に回転するように取り付けており、該ディスク間にはスライダー４を、該スライダーの係合部がディスクの周面部に係合、もしくは非係合することによってスライダーが上下方向に非可動もしくは可動するように取り付けており、上記スライダーは上方に操作部４ａを形成し、下方に掛止金具が係脱する掛止部４ｃを形成しており、スライダーの係合部がディスクの周面部に係合している状態でスライダーの可動が阻止されて掛止部と掛止金具４ｂが係合状態を保持して施錠状態を維持し、スライダーの係合部がディスクの非係合部に位置している状態でスライダーが下方に可動可能となり、スライダーを下方に可動して掛止部から掛止金具を離脱して解錠状態になるように構成していることを特徴とする。【選択図】図８
0003161580.tif 000002
【実用新案登録請求の範囲】
【請求項１】
錠ケースには符号の表示窓を有し、該錠ケースには周面に所定個数の符号を有するダイアルを複数個所定の間隔を持って回転可能に軸支しており、該ダイアルには外周の一部を切欠して非係合部を形成しているディスクを一体的に回転するように取り付けており、該ディスク間にはスライダーを、該スライダーの係合部がディスクの周面部に係合、もしくは非係合することによってスライダーが上下方向に非可動もしくは可動するように取り付けており、上記スライダーは上方に操作部を形成し、下方に掛止金具が係脱する掛止部を形成しており、スライダーの係合部がディスクの周面部に係合している状態でスライダーの可動が阻止されて掛止部と掛止金具が係合状態を保持して施錠状態を維持し、スライダーの係合部がディスクの非係合部に位置している状態でスライダーが下方に可動可能となり、スライダーを下方に可動して掛止部から掛止金具を離脱して解錠状態になるように構成していることを特徴とするダイアル錠。
【請求項２】
ダイアルの周面には、ダイアルの周方向に形成している符号が錠ケースの表示窓の位置でいったん停止できるように符合に対応する数の係合凹部を形成し、錠ケース側に上記係合凹部に係脱する係合突部を弾支状態で形成していることを特徴とする請求項１記載のダイアル錠。
【請求項３】
表表紙と裏表紙と背表紙を備えるフアイルにおいて、表裏いずれか一方の表紙には請求項１または請求項２記載のダイアル錠の錠ケースが取り付けられており、他方の表紙には掛止金具が取り付けられていることを特徴とするダイアル錠付フアイル。
【考案の詳細な説明】
【技術分野】
【０００１】本考案はダイアル錠に関する。
【背景技術】
【０００２】従来ダイアル錠（別名符号錠とも言われている）は公知である。これら錠は自転車、鞄、ケース、フアイル、ドア等に使われており、錠の機構も精密で、複雑な機構あるいは簡易な機構など様々である。
【考案の概要】
【考案が解決しようとする課題】
【０００３】本考案は極めて簡単な機構で、施錠、解錠の操作がしやすいダイアル錠を提供する。
【課題を解決するための手段】
【０００４】本考案の特徴はつぎのとおりである。
その一は「錠ケースには符号の表示窓を有し、該錠ケースには周面に所定個数の符号を有するダイアルを複数個所定の間隔を持って回転可能に軸支しており、該ダイアルには外周の一部を切欠して非係合部を形成しているディスクを一体的に回転するように取り付けており、該ディスク間にはスライダーを、該スライダーの係合部がディスクの周面部に係合、もしくは非係合することによってスライダーが上下方向に非可動もしくは可動するように取り付けており、上記スライダーは上方に操作部を形成し、下方に掛止金具が係脱する掛止部を形成しており、スライダーの係合部がディスクの周面部に係合している状態でスライダーの可動が阻止されて掛止部と掛止金具が係合状態を保持して施錠状態を維持し、スライダーの係合部がディスクの非係合部に位置している状態でスライダーが下方に可動可能となり、スライダーを下方に可動して掛止部から掛止金具を離脱して解錠状態になるように構成していることを特徴とするダイアル錠」である。【０００５】その二は「上記のダイアル錠において、ダイアルの周面には、ダイアルの周方向に形成している符号が錠ケースの表示窓の位置でいったん停止できるように符合に対応する数の係合凹部を形成し、錠ケース側に上記係合凹部に係脱する係合突部を弾支状態で形成していることを特徴とするダイアル錠」である。【０００６】その三は「表表紙と裏表紙と背表紙を備えるフアイルにおいて、表裏いずれか一方の表紙には上記構成のダイアル錠の錠ケースが取り付けられており、他方の表紙には掛止金具が取り付けられていることを特徴とするダイアル錠付フアイル」である。
【考案の効果】
【０００７】本考案のダイアル錠は、考案を実施するための形態の項において詳述しているように、錠ケースに取り付けられている複数個の（２個以上）のダイアルに形成している符号の組み合わせによってスライダーがディスクに係合されて非可動の状態と、ディスクと非係合の状態で下方に可動するように構成されており、スライダーがディスクに係合されて非可動の状態スライダーの掛止部に係合している掛止金具が施錠状態を保持し、スライダーがディスクと非係合の状態ではスライダーを下方に可動して掛止金具をスライダーの掛止部から離脱して解錠状態にできる構成であり、施錠、解錠の操作が極めて簡単であり、確実にできる。
かつ錠を構成する部材点数も少なく、組立てが簡単である。さらにこのダイアル錠はファイル用のみならずブックケース、トランクケース、他収納品等の施錠にも使用可能であり、多様の物品に適用でき、実用性大である。
【図面の簡単な説明】
【０００８】
【図１】本考案ダイアル錠の錠ケースを示し、Ａは平面図、ＢはＡのＸ−Ｘ断面図、ＣはＡのＹ−Ｙ断面図。
【図２】ダイアルを示し、Ａは平面図、ＢはＡのＸ−Ｘ断面図、Ｃは底面図。
【図３】ディスクを示し、Ａは平面図、ＢはＡのＸ−Ｘ断面図。
【図４】スライダーを示し、Ａは正面図、Ｂは右側面図、Ｃは背面図、Ｄは平面図、ＥはＡのＸ−Ｘ断面図、ＦはＣのＹ−Ｙ断面図。
【図５】蓋板を示し、Ａは正面図、ＢはＡのＸ−Ｘ断面図、Ｃは平面図。
【図６】掛止金具の正面図。
【図７】掛止金具の固定具を示し、Ａは正面図、ＢはＡのＸ−Ｘ断面図、ＣはＡのＹ−Ｙ断面図。
【図８】ダイアル錠の組立て状態を示す説明用の平面図で施錠の状態を示す。
【図９】同じくダイアル錠の組立て状態を示す説明用の平面図で解錠の状態を示す。
【図１０】ダイアル錠をファイルにとりつけた状態を示す説明図。
【図１１】ダイアル錠の別の実施例を示す説明用の平面図。
【考案を実施するための形態】
【０００９】本考案について実施例を図面を用いて説明する。
図１において、１は錠ケースである。１は符号の表示窓で２個形成している。１ｂ、１ｃは切欠き、１ｄはダイアルの回転軸で、後述のダイアルが軸孔を介して軸支される。１ｅは開口部、１ｆは螺孔、１ｇは止着孔である。
【００１０】図２において、２はダイアルで、２ａは所定個数の、図面では６個の数字からなる符号である。該符号はダイアルの周方向に軸心より等角度に形成している。図面では周面に形成しているが外周の厚み部に形成してもよい。
２ｂは軸孔、２ｃはダイアルの周面において外周の厚み部において周方向に形成している係合凹部である。この係合凹部に後述の係合突部が係合してダイアルが静止する。係合凹部はダイアルを回転した際に符号が表示窓１ａの箇所で静止できるように符号に対応して形成している。２ｄは後述のディスクの係合突起の嵌合孔である。図面では６個形成している。
【００１１】図３において、３はディスクで、外周の一部を切欠して弦を形成し非係合部３ａを形成している。３ｂは開孔、３ｃは係合突起で、ダイアルの係合凹部２ｄに嵌合して両者を一体的に回転するように形成している。なおディスクがダイアルに対して角度を変えて取り付けできるように、係合突起が嵌合孔に対して同心円上に形成している。
【００１２】図４において、４はスライダーである。スライダー４は上方に操作部４ａを突出し、中間部両側に係合部４ｂ、４ｂを突出し、下方に掛止金具が係脱する掛止部４ｃを凹状に形成している。係合部４ｂはディスクの周面部に係合すれば、スライダーの下方への可動が阻止される。係合部４ｂがディスクの非係合部３ａに位置している状態で、スライダーが下方に可動できる状態となる。
４ａ１は操作部の上端に形成している係止突起であり、スライダーを下方に可動した際にケースに係止して可動を阻止するストッパーである。４ａ２はスライダーの下部に形成している係止突起であり、スライダーを上方に可動した際にケースに係止して可動を阻止するストッパーである。
【００１３】図５において、５はケースの蓋板である。５ａは止着用の螺孔、５ｂは支持片である。
図６において、６は掛止金具である。金属製の棒材を折曲加工している。６ａは掛止部である。
図７において、７は掛止金具の固定具である。板材の一端に巻込部７ａを形成している。巻込部に掛止金具の掛止部が両側から嵌入され、回動自在に支持される。７ｂは補強部、７ｃは止着孔である。
【００１４】図８はダイアル錠の組立てた状態を示す説明用の平面図である。符号２ａの表示窓を有する錠ケース１には、周面に所定個数の符号（図面では数字であるが、アルファベット、その他の符号等でもよい）を有するダイアル２が複数個、図面では２個、所定の間隔をもって回転可能に軸支されている。符号２ａは組立性を考慮して表裏面に形成している。８は係合突部で、コイルスプリング８ａと、その先端に取り付けている球体８ｂからなり、ケース側に弾支状態で形成されている。
この球体にダイアルの係合凹部が係合するとダイアルの回転が一端停止する。この位置は符号がケースの表示窓の位置で停止する位置である。
このダイアルには外周の一部を切欠して非係合部３ａを形成しているディスク３を、該ディスクの係合突起３ｃをダイアルの係合凹部２ｃに嵌合係合して一体的に回転するようにとりつけている。ディスクは、図示より明らかなように取り付ける位置、つまり取り付け角度が変えられるように構成されているが、それは多様の符号の組み合わせからなる錠を製作するためである。
【００１５】ディスク３、３間にスライダー４を錠ケースの切欠き１ｂ、１ｃに嵌入支持せしめており、該スライダーの係合部４ａ、４ａがディスクの周面部に係合もしくは非係合することによってスライダーが上下方向に非可動もしくは可動するように取り付けている。図面ではディスクの周面部にスライダーが係合している状態を示しており、スライダーは下方に可動しない。スライダーの操作部４ａがケースの外方に突出せしめており、掛止部４ｃがケースの下方に突出せしめている。６は掛止金具で掛止部４ｃに掛止している。施錠の状態である。
【００１６】図９は図示より理解できる通り、スライダーの係合部４ｂ、４ｂがディスク周面部の非係合部３ａ、３ａに位置しており、スライダーが下方に可動している状態を示している。この状態で掛止部が大きく下方に露出し、掛止金具が掛止部から外すことができ、解錠状態となる。
【００１７】図１０は本考案のダイアル錠をファイルに取り付けている状態を示す説明図である。８はファイルを示し、８ａは表表紙、８ｂは裏表紙、８ｃは背表紙である。８ｃ１は書類等の綴り具である。表裏いずれか一方の表紙の高さ方向中間部にダイアル錠が、錠ケースの止着孔にセミチューブラリベットなどの止具９を介してとりつけられる。他方の表紙の上記錠ケースの対向位置には固定具７がセミチューブラリベットなどの止具１０を介して取り付けられ、該固定具に掛止金具６がとりつけられる。図面ではダイアル錠の掛止部４ｃに掛止金具６が係止されており、施錠の状態を示す。解錠するには鎖線で示すようにスライダー４を下方に可動し、掛止部をファイル（表紙）の外方に露出し、次いで該金具をさらに外側に引くか、表紙をわずかに内側（矢印方向）に縮めると掛止金具が掛止部から外れて解錠される。
【００１８】図１１はダイアル錠の別の実施例を示す説明図である。錠ケース１１にはダイアル１２とディスク１３のセットが３個、所定の間隔をもって配設されている。１４、１４はその間のスライダーである。スライダーは操作部１４ａを一体に成型し、一体である。１４ｂは係合部、１４ｃは掛止部、１５は掛止金具である。それゆえに各スライダーの係合部がディスクの非係合部に位置した際にスライダーが下方に可動でき解錠状態となる。いずれかのスライダーの係合部がディスクに係合状態であれば、スライダーは下方に可動しない、言わば施錠状態である。ダイアルの符号の数を増やしたり、ダイアルの数を増やせば符号の組み合わせ数が増え、解錠するための操作に時間を要し、施錠効果、防犯効果がより期待できる。以上本考案の実施例について説明しているが、本考案は上記実施例に限定されるものでなく、本考案の技術思想を逸脱しない範囲の設計変更は可能である。
【符号の説明】
【００１９】１      錠ケース
１ａ    表示窓
１ｂ    切欠き
１ｃ    切欠き
１ｄ    回転軸
１ｅ    開口部
２      ダイアル
２ａ    符号
２ｂ    軸孔
２ｃ    係合凹部
２ｄ    嵌合孔
３      ディスク
３ａ    非係合部
３ｂ    開孔
３ｃ    係合突起
４      スライダー
４ａ    操作部
４ｂ    係合部
４ａ１  係止突起
４ａ２  係止突起
４ｃ    掛止部
５      蓋板
６      掛止金具
７      固定具
８      ファイル
８ａ    表表紙
８ｂ    裏表紙
８ｃ    背表紙
９      止具
１０    止具
１１    錠ケース
１２    ダイアル
１３    ディスク
１３ａ  非係合部
１４    スライダー
１４ａ  操作部
１４ｂ  係合部
１４ｃ  掛止部
１５    掛止金具
【図１】
0003161580.tif 000003
【図２】
0003161580.tif 000004
【図３】
0003161580.tif 000005
【図４】
0003161580.tif 000006
【図５】
0003161580.tif 000007
【図６】
0003161580.tif 000008
【図７】
0003161580.tif 000009
【図８】
0003161580.tif 000010
【図９】
0003161580.tif 000011
【図１０】
0003161580.tif 000012
【図１１】
0003161580.tif 000013